(57)【要約】【課題】室内空間の空気の温度分布を均一化させることができる空気調和機の室内ユニットを提供する。【解決手段】空気調和機の室内ユニット２は、筐体４の第１側面７に開口されて空気Ｆを吸い込む第１吸込口１１と、第１吸込口１１に設けられる第１蓋１５と、第１吸込口１１が開放される位置と閉鎖される位置との間で第１蓋１５を移動させる第１蓋駆動部と、筐体４における第１側面７の反対側の第２側面８に開口されて空気Ｆを吸い込む第２吸込口１２と、第２吸込口１２に設けられる第２蓋１６と、第２吸込口１２が開放される位置と閉鎖される位置との間で第２蓋１６を移動させる第２蓋駆動部と、第１蓋駆動部と第２蓋駆動部の制御を行う蓋制御部と、吸込口１１，１２が設けられる側面とは異なる面に設けられ、熱交換器を通過した空気を吹き出す吹出口３１とを備える。【選択図】  図３
2018138839.tif 000002
【特許請求の範囲】
【請求項１】
筺体と、
前記筐体の内部に配置される熱交換器と、
前記熱交換器を通過する空気の流れを生じさせる送風部と、
前記筐体の第１側面に開口されて空気を吸い込む第１吸込口と、
前記第１吸込口に設けられる第１蓋と、
前記第１吸込口が開放される位置と閉鎖される位置との間で前記第１蓋を移動させる第１蓋駆動部と、
前記筐体における前記第１側面の反対側の第２側面に開口されて空気を吸い込む第２吸込口と、
前記第２吸込口に設けられる第２蓋と、
前記第２吸込口が開放される位置と閉鎖される位置との間で前記第２蓋を移動させる第２蓋駆動部と、
前記第１蓋駆動部と前記第２蓋駆動部の制御を行う蓋制御部と、
前記吸込口が設けられる側面とは異なる面に設けられ、前記熱交換器を通過した空気を吹き出す吹出口と、
を備える空気調和機の室内ユニット。
【請求項２】
前記蓋制御部は、
冷房運転時に前記第２吸込口よりも高い位置に設けられる前記第１吸込口を開放するとともに前記第２吸込口を閉鎖する制御を行い、
暖房運転時に前記第１吸込口よりも低い位置に設けられる前記第２吸込口を開放するとともに前記第１吸込口を閉鎖する制御を行う請求項１に記載の空気調和機の室内ユニット。
【請求項３】
前記筐体の第３側面に開口されて空気を吸い込む第３吸込口と、
前記第３吸込口に設けられる第３蓋と、
前記第３吸込口が開放される位置と閉鎖される位置との間で前記第３蓋を移動させる第３蓋駆動部と、
前記第３吸込口と同じ高さ位置に設けられ、前記筐体における前記第３側面の反対側の第４側面に開口されて空気を吸い込む第４吸込口と、
前記第４吸込口に設けられる第４蓋と、
前記第４吸込口が開放される位置と閉鎖される位置との間で前記第４蓋を移動させる第４蓋駆動部と、
を備え、
前記蓋制御部は、前記第３蓋駆動部と前記第４蓋駆動部の制御を行う請求項１または請求項２に記載の空気調和機の室内ユニット。
【請求項４】
前記蓋制御部は、前記第３吸込口または前記第４吸込口の開閉動作を、独立して制御、または、前記第１吸込口または前記第２吸込口の開閉動作に連動させて制御する請求項３に記載の空気調和機の室内ユニット。
【請求項５】
室内空間に居る人の位置を検出する人感センサを備え、
前記蓋制御部は、前記人感センサで検出した前記人の位置に基づいて、前記第３吸込口および前記第４吸込口の開閉の制御を行う請求項３または請求項４に記載の空気調和機の室内ユニット。
【請求項６】
前記蓋制御部は、運転開始時または温度設定変更時に全ての前記吸込口を開放する制御を行う請求項１から請求項５のいずれか１項に記載の空気調和機の室内ユニット。
【請求項７】
前記吸込口から吸い込まれた空気の温度を検出する温度センサを備え、
前記蓋制御部は、前記温度センサで検出した温度と目標温度との差分が所定の閾値以下になった場合に、全ての前記吸込口を開放する制御を終了する請求項６に記載の空気調和機の室内ユニット。
【請求項８】
全ての前記吸込口を開放する時間をカウントする全開放タイマを備え、
前記蓋制御部は、前記全開放タイマのカウントが所定の時間以下になった場合に、全ての前記吸込口を開放する制御を終了する請求項６に記載の空気調和機の室内ユニット。
【請求項９】
前記送風部は、軸流ファンまたは遠心ファンを備える請求項１から請求項８のいずれか１項に記載の空気調和機の室内ユニット。
【発明の詳細な説明】
【技術分野】
【０００１】
本発明の実施形態は、空気調和機の室内ユニットに関する。
【背景技術】
【０００２】
従来の空気調和機の室内ユニットでは、筐体の後部側に設けられた吸込口から吸い込まれた空気を、熱交換器を通過させることで適切な温度に調整し、ファンを用いて正面から吹き出すようにしている。
【先行技術文献】
【特許文献】
【０００３】
【特許文献１】国際公開第２０１４／１９０７８０号
【発明の概要】
【発明が解決しようとする課題】
【０００４】
しかしながら、空気調和機の室内ユニットは、吸込口から空気が吸い込まれる方向が常に同じ方向であるので、室内空間の全体に生じる空気の流れが同じ方向となり、室内空間の空気の温度分布に偏りが生じてしまい、快適な温度分布にならないという課題がある。
【０００５】
本発明の実施形態は、このような事情を考慮してなされたもので、室内空間の空気の温度分布を均一化させることができる空気調和機の室内ユニットを提供することを目的とする。
【課題を解決するための手段】
【０００６】
本発明の実施形態に係る空気調和機の室内ユニットは、筺体と、前記筐体の内部に配置される熱交換器と、前記熱交換器を通過する空気の流れを生じさせる送風部と、前記筐体の第１側面に開口されて空気を吸い込む第１吸込口と、前記第１吸込口に設けられる第１蓋と、前記第１吸込口が開放される位置と閉鎖される位置との間で前記第１蓋を移動させる第１蓋駆動部と、前記筐体における前記第１側面の反対側の第２側面に開口されて空気を吸い込む第２吸込口と、前記第２吸込口に設けられる第２蓋と、前記第２吸込口が開放される位置と閉鎖される位置との間で前記第２蓋を移動させる第２蓋駆動部と、前記第１蓋駆動部と前記第２蓋駆動部の制御を行う蓋制御部と、前記吸込口が設けられる側面とは異なる面に設けられ、前記熱交換器を通過した空気を吹き出す吹出口と、を備える。
【図面の簡単な説明】
【０００７】
【図１】第１実施形態の室内ユニットを示す斜視図。
【図２】室内ユニットの内部構造を示す斜視図。
【図３】運転開始時の室内ユニットを示す縦断側面図。
【図４】運転開始時の室内ユニットを示す横断平面図。
【図５】冷房運転時の室内ユニットを示す縦断側面図。
【図６】暖房運転時の室内ユニットを示す縦断側面図。
【図７】左側に人が居る場合の室内ユニットを示す横断平面図。
【図８】右側に人が居る場合の室内ユニットを示す横断平面図。
【図９】運転開始時の室内の気流を示す断面図。
【図１０】冷房運転時の室内の気流を示す断面図。
【図１１】暖房運転時の室内の気流を示す断面図。
【図１２】左側に人が居る場合の室内の気流を示す断面図。
【図１３】右側に人が居る場合の室内の気流を示す断面図。
【図１４】空気調和機を示すブロック図。
【図１５】全開放処理を示すフローチャート。
【図１６】変形例の全開放処理を示すフローチャート。
【図１７】蓋制御処理を示すフローチャート。
【図１８】第２実施形態の室内ユニットを示す斜視図。
【図１９】室内ユニットの内部構造を示す斜視図。
【図２０】運転開始時の室内ユニットを示す縦断側面図。
【発明を実施するための形態】
【０００８】
（第１実施形態）
以下、本実施形態を添付図面に基づいて説明する。まず、第１実施形態の空気調和機の室内ユニットについて図１から図１７を用いて説明する。図１および図２は、第１実施形態の室内ユニットを正面側から見た状態を示す斜視図である。以下、図３、図５、図６、図９、図１０、図１１の紙面左側を室内ユニットの正面側（前方側）として説明する。また、図４、図７、図８の紙面下側を室内ユニットの正面側（前方側）とし、紙面左側を室内ユニットの左側とし、紙面右側を室内ユニットの右側として説明する。また、図１２、図１３の紙面左側を室内ユニットの左側とし、紙面右側を室内ユニットの右側として説明する。
【０００９】
本実施形態の空気調和機１は、室内の壁面Ｋに設けられるファンコイルユニットとしての室内ユニット２と、室外に設けられる室外ユニット３とを備える（図９参照）。この室内ユニット２は、室内の壁面Ｋの高所に取り付けられる壁掛け型を例示している。なお、室内ユニット２は、天井Ｔに吊り下げられる天井吊下型であっても良い。
【００１０】
図１および図２に示すように、室内ユニット２は、箱状（立方体状、直方体状）を成す筐体４を備える。つまり、筐体４は、正面５と背面６と上面７と下面８と左面９と右面１０との６面を有する。この室内ユニット２は、その背面６が壁面Ｋに接触した状態で壁面Ｋに取り付けられる（図３参照）。
【００１１】
室内ユニット２は、壁面Ｋにおける高所に取り付けられるため、その下面８が床面Ｕから離間された状態となる。また、室内ユニット２は、その上面７が天井Ｔから離間された状態で配置される。さらに、室内ユニット２は、その左面９と右面１０が対向する壁面Ｋから離間された状態で配置される。なお、筐体４の上下左右の４箇所には、周囲の空気を吸い込む吸込口１１，１２，１３，１４が開口されている。それぞれの吸込口１１，１２，１３，１４は、長方形状を成す。
【００１２】
本実施形態では、筐体４の上面７（第１側面）に開口されて空気Ｆを吸い込む第１吸込口１１と、筐体４の下面８（第２側面）に開口されて空気Ｆを吸い込む第２吸込口１２と、筐体４の左面９（第３側面）に開口されて空気Ｆを吸い込む第３吸込口１３と、筐体４の右面１０（第４側面）に開口されて空気Ｆを吸い込む第４吸込口１４とが設けられる。
【００１３】
第２吸込口１２は、筐体４における第１吸込口１１が設けられる上面７（第１側面）の反対側の下面８（第２側面）に設けられる。つまり、第１吸込口１１が第２吸込口１２よりも高い位置に設けられる。第１吸込口１１と第２吸込口１２とが異なる高さ位置に設けられる。
【００１４】
第４吸込口１４は、筐体４における左面９（第３側面）の反対側の右面１０（第４側面）に設けられる。つまり、第３吸込口１３と第４吸込口１４が同じ高さ位置に設けられる。本実施形態では、第１吸込口１１と第２吸込口１２と第３吸込口１３と第４吸込口１４とが、それぞれ異なる方向（上下左右のそれぞれの方向）に向けて開口されている。第１吸込口１１と第２吸込口１２と第３吸込口１３と第４吸込口１４とが、室内ユニット２の正面視において、それぞれ９０度毎に異なる方向に向けて開口される。
【００１５】
第１吸込口１１には、開閉可能な第１蓋１５が設けられる。室内ユニット２は、この第１蓋１５を、第１吸込口１１が開放される位置（図５参照）と閉鎖される位置（図６参照）との間で移動させる第１蓋駆動部１９（図１４参照）を備える。さらに、第１吸込口１１には、第１エアフィルタ２３が設けられる。また、第１吸込口１１には、この第１吸込口１１から吸い込まれる空気Ｆの温度を検出する第１温度センサ２７（図５参照）が設けられる。
【００１６】
第２吸込口１２には、開閉可能な第２蓋１６が設けられる。室内ユニット２は、この第２蓋１６を、第２吸込口１２が開放される位置（図６参照）と閉鎖される位置（図５参照）との間で移動させる第２蓋駆動部２０（図１４参照）を備える。さらに、第２吸込口１２には、第２エアフィルタ２４が設けられる。また、第２吸込口１２には、この第２吸込口１２から吸い込まれる空気Ｆの温度を検出する第２温度センサ２８（図６参照）が設けられる。
【００１７】
第３吸込口１３には、開閉可能な第３蓋１７が設けられる。室内ユニット２は、この第３蓋１７を、第３吸込口１３が開放される位置（図７参照）と閉鎖される位置（図８参照）との間で移動させる第３蓋駆動部２１（図１４参照）を備える。さらに、第３吸込口１３には、第３エアフィルタ２５が設けられる。また、第３吸込口１３には、この第３吸込口１３から吸い込まれる空気Ｆの温度を検出する第３温度センサ２９（図７参照）が設けられる。
【００１８】
第４吸込口１４には、開閉可能な第４蓋１８が設けられる。室内ユニット２は、この第４蓋１８を、第４吸込口１４が開放される位置（図８参照）と閉鎖される位置（図７参照）との間で移動させる第４蓋駆動部２２（図１４参照）を備える。さらに、第４吸込口１４には、第４エアフィルタ２６が設けられる。また、第４吸込口１４には、この第４吸込口１４から吸い込まれる空気Ｆの温度を検出する第４温度センサ３０（図８参照）が設けられる。
【００１９】
それぞれの蓋１５，１６，１７，１８は、吸込口１１，１２，１３，１４に対応する長方形状を成す板部材である。これらの蓋１５，１６，１７，１８は、対応する吸込口１１，１２，１３，１４の後側の縁辺に配置された軸を有し、この軸を中心として揺動（移動）される。また、蓋１５，１６，１７，１８の揺動は、対応する蓋駆動部１９，２０，２１，２２（モータ）により制御される。また、それぞれの吸込口１１，１２，１３，１４にエアフィルタ２３，２４，２５，２６が設けられることで、いずれの吸込口１１，１２，１３，１４から空気を吸い込んでも塵を取り除くことができる。
【００２０】
また、第１〜４蓋駆動部１９，２０，２１，２２は、独立して制御される。つまり、第１〜４吸込口１１，１２，１３，１４の開閉動作が、それぞれ独立して制御される。なお、第１〜４吸込口１１，１２，１３，１４の開閉動作を連動させても良い。さらに、第３吸込口１３または第４吸込口１４の開閉動作を、第１吸込口１１または第２吸込口１２の開閉動作と独立して制御しても良いし、連動させて制御しても良い。このようにすれば、室内空間Ｎの状況に応じて、上下方向に循環する空気の流れ、または、水平方向に循環する空気の流れを生じさせることができる。また、上下方向に循環する空気の流れ、および、水平方向に循環する空気の流れを生じさせることができる。
【００２１】
図１および図２に示すように、筐体４の正面５には、温度調節がなされた空気Ｆを吹き出す吹出口３１が設けられる。また、吹出口３１には、吹き出される空気Ｆを案内する複数枚の風向板３２が設けられる。室内ユニット２は、風向板３２の角度を調整する風向板駆動部３３（モータ）を備える（図１４参照）。これらの風向板３２の角度を調整することで、吹出口３１から水平方向に空気Ｆを吹き出す態様（図５参照）と、吹出口３１から斜め下方向に空気Ｆを吹き出す態様（図６参照）とを切り換えることができる。
【００２２】
筐体４の正面５には、室内空間Ｎにおいて、人Ｍが居る方向を検出する人感センサ３４が設けられる。さらに、筐体４の正面５には、空気調和機１を遠隔操作するためのワイヤレスリモコン３５（図１４参照）から送信される赤外線信号Ｒ（無線信号）を受信する受信部３６が設けられる。
【００２３】
図２および図３に示すように、室内ユニット２は、筐体４の内部に配置される熱交換器３７と、熱交換器３７の前方側（風下側）に設けられる軸流ファン３８と、この軸流ファン３８を回転させるファン駆動部３９（モータ）と、熱交換器３７の下方位置に設けられて熱交換器３７で空気から分離された水滴を受けるドレンパン４０とを備える。なお、熱交換器３７を覆う筐体４は、第１〜４吸込口１１，１２，１３，１４と吹出口３１との間で通風が可能となっている。
【００２４】
第１実施形態では、軸流ファン３８とファン駆動部３９とで、熱交換器を通過する空気の流れを生じさせる送風部が構成される。軸流ファン３８（プロペラファン）は、複数の羽根を有し、その軸を中心として回転することで、直線状（円柱状）の空気の流れを生じさせることができる。なお、軸流ファン３８の周囲には、空気の流れを案内する案内部４１が設けられる。
【００２５】
室内ユニット２の熱交換器３７と室外ユニット３とが、冷媒を循環させる接続パイプ４２を介して接続されている。この熱交換器３７と室外ユニット３との間で冷媒を循環させることで冷凍サイクルが構成される。
【００２６】
熱交換器３７は、冷媒が通過する配管４３と、配管４３と連結された複数枚のフィン４４とを備える。この熱交換器３７は、配管４３と室外ユニット３との間で冷媒が循環される。そして、熱交換器３７を通過する空気と冷媒との間で熱交換を行うことができる。冷房運転時には、周囲の空気の温度を低下させる冷房モードで熱交換器３７が運転される。また、暖房運転時には、周囲の空気の温度を上昇させる暖房モードで熱交換器３７が運転される。なお、冷房モードまたは暖房モード以外に、送風モードまたは除湿モードなどがあっても良い。
【００２７】
図３、図４、図９に示すように、空気調和機１の運転が開始されると、冷房モードまたは暖房モードのいずれの場合であっても、全ての吸込口１１，１２，１３，１４を開放する全開放モードが実行される。この全開放モードでは、第１〜４蓋１５，１６，１７，１８が最大開放角度にされる。全ての吸込口１１，１２，１３，１４から筐体４の内部に吸い込まれた空気Ｆは、熱交換器３７を通過して吹出口３１から吹き出される。
【００２８】
なお、風向板３２の角度が調整され、吹出口３１から水平方向に空気Ｆが吹き出される。この全開放モードによる運転は、所定時間の経過後、または室内空間Ｎの空気Ｆの温度が目標温度の近傍に到達した時点で終了する。
【００２９】
このようにすれば、運転開始時に、室内ユニット２の全方位から多くの空気Ｆを吸い込んで熱交換器３７を通過させることができるので、室内空間Ｎの空気Ｆを目標温度（設定温度）に短時間で到達させることができる。
【００３０】
なお、この全開放モードによる運転は、使用者Ｍがワイヤレスリモコン３５を用いて目標温度を切り換えた場合などの温度設定変更時にも実行される。この全開放モードによる運転は、室内空間Ｎの空気の温度を急激に下げる場合、または、室内空間Ｎの空気の温度を急激に上げる場合に実行される。例えば、現在の室内空間Ｎの空気の温度と、目標温度との差分が所定の温度以上（例えば５℃以上）である場合に実行される。また、冷房モードを暖房モードに切り換えた場合、または暖房モードを冷房モードに切り換えた場合にも、全開放モードによる運転が実行される。
【００３１】
図５および図１０に示すように、冷房運転時には、第１吸込口１１が開放されるとともに他の吸込口１２，１３，１４が閉鎖される。つまり、冷房運転時には、第２吸込口１２よりも高い位置に設けられる第１吸込口１１を開放するとともに第２吸込口１２を閉鎖する。第１吸込口１１から筐体４の内部に吸い込まれた空気Ｆは、熱交換器３７を通過するときに冷却され、吹出口３１から吹き出される。なお、風向板３２の角度が調整され、吹出口３１から水平方向に冷たい空気Ｆが吹き出される。
【００３２】
このようにすれば、冷房運転時には、室内空間Ｎで上方に溜まる暖かい空気Ｆを第１吸込口１１から吸い込んで、熱交換器３７で冷やされた空気Ｆを吹出口３１から吹き出すことができる。そのため、室内空間Ｎの下方から上方を通って室内ユニット２に向かう空気Ｆの流れを作ることができるので、冷房運転時の室内空間Ｎの空気の温度の斑を無くすことができる。
【００３３】
図６および図１１に示すように、暖房運転時には、第２吸込口１２が開放されるとともに他の吸込口１１，１３，１４が閉鎖される。つまり、暖房運転時には、第１吸込口１１よりも低い位置に設けられる第２吸込口１２を開放するとともに第１吸込口１１を閉鎖する。第２吸込口１２から筐体４の内部に吸い込まれた空気Ｆは、熱交換器３７を通過するときに加熱され、吹出口３１から吹き出される。なお、風向板３２の角度が調整され、吹出口３１から斜め下方向に暖かい空気Ｆが吹き出される。
【００３４】
このようにすれば、暖房運転時には、室内空間Ｎで下方に溜まる冷たい空気を第２吸込口１２から吸い込んで、熱交換器３７で暖められた空気Ｆを吹出口３１から吹き出すことができる。そのため、室内空間Ｎの上方から下方を通って室内ユニット２に向かう空気Ｆの流れを作ることができるので、暖房運転時の室内空間Ｎの空気の温度の斑を無くすことができる。
【００３５】
なお、前述の説明では、冷房運転時に第１吸込口１１のみが開放され、暖房運転時に第２吸込口１２のみが開放されるようにしているが、室内空間Ｎにおける人Ｍが居る位置に応じて、第３吸込口１３または第４吸込口１４を開放するようにしても良い。このようにすれば、人Ｍの居る位置に基づいて、室内空間Ｎを循環する空気の流れを変化させることができる。
【００３６】
図７および図１２に示すように、人感センサ３４を用いて、室内空間Ｎにおける人Ｍが居る方向Ｗを検出する。ここで、室内空間Ｎの左側に人Ｍが居る場合は、第３吸込口１３を開放するとともに第４吸込口１４を閉鎖する。なお、冷房運転時には、第３吸込口１３の開放とともに第１吸込口１１も開放する。また、暖房運転時には、第３吸込口１３の開放とともに第２吸込口１２も開放する。
【００３７】
第３吸込口１３を開放することで、室内空間Ｎの左側の空気Ｆが室内ユニット２に吸い込まれるようになる。そのため、吹出口３１から吹き出された空気Ｆの多くが、室内空間Ｎの左側に流れるようになり、人Ｍが居る箇所に向けて快適な温度の空気Ｆを流すことができる。このようにすれば、水平方向に循環する空気の流れを室内空間Ｎに生じさせることができる。
【００３８】
なお、本実施形態では、室内空間Ｎの左側に人Ｍが居る場合に、第３吸込口１３を開放するとともに第４吸込口１４を閉鎖しているが、室内空間Ｎの左側に人Ｍが居る場合に、第４吸込口１４を開放するとともに第３吸込口１３を閉鎖しても良い。この場合は、吹出口３１から吹き出された空気Ｆの多くが、人Ｍが居る箇所を避けて流れるようになる。
【００３９】
図８および図１３に示すように、人感センサ３４を用いて、室内空間Ｎにおける人Ｍが居る方向Ｗを検出する。ここで、室内空間Ｎの右側に人Ｍが居る場合は、第４吸込口１４を開放するとともに第３吸込口１３を閉鎖する。なお、冷房運転時には、第４吸込口１４の開放とともに第１吸込口１１も開放する。また、暖房運転時には、第４吸込口１４の開放とともに第２吸込口１２も開放する。
【００４０】
第４吸込口１４を開放することで、室内空間Ｎの右側の空気Ｆが室内ユニット２に吸い込まれるようになる。そのため、吹出口３１から吹き出された空気Ｆの多くが、室内空間Ｎの右側に流れるようになり、人Ｍが居る箇所に向けて快適な温度の空気Ｆを流すことができる。このようにすれば、水平方向に循環する空気の流れを室内空間Ｎに生じさせることができる。
【００４１】
なお、本実施形態では、室内空間Ｎの右側に人Ｍが居る場合に、第４吸込口１４を開放するとともに第３吸込口１３を閉鎖しているが、室内空間Ｎの右側に人Ｍが居る場合に、第３吸込口１３を開放するとともに第４吸込口１４を閉鎖しても良い。この場合は、吹出口３１から吹き出された空気Ｆの多くが、人Ｍが居る箇所を避けて流れるようになる。
【００４２】
本実施形態では、軸流ファン３８を用いて吹出口３１から吹き出される直線状の空気の流れを生じさせることができるので、吸込口１１，１２，１３，１４に吸い込まれる空気Ｆの流れと、吹出口３１から吹き出す直線状の空気Ｆの流れとにより、室内空間Ｎを循環する空気の流れを制御することができる。
【００４３】
次に、空気調和機１のシステム構成を図１４に示すブロック図を参照して説明する。図１４に示すように、室内ユニット２は、各種装置を制御するメイン制御部４５を備える。
【００４４】
第１温度センサ２７は、第１吸込口１１の空気の温度をメイン制御部４５に入力する。第２温度センサ２８は、第２吸込口１２の空気の温度をメイン制御部４５に入力する。第３温度センサ２９は、第３吸込口１３の空気の温度をメイン制御部４５に入力する。第４温度センサ３０は、第４吸込口１４の空気の温度をメイン制御部４５に入力する。人感センサ３４は、人Ｍが居る方向を示す検出信号をメイン制御部４５に入力する。
【００４５】
メイン制御部４５は、第１〜４蓋駆動部１９，２０，２１，２２の制御を行う蓋制御部４６と、風向板駆動部３３の制御を行う風向板制御部４７と、熱交換器３７の制御を行う熱交換器制御部４８と、ファン駆動部３９の制御を行うファン制御部４９と、室外ユニット３の制御を行う室外ユニット制御部５０と、全ての吸込口１１，１２，１３，１４を開放する時間をカウントする全開放タイマ５１とを備える。メイン制御部４５は、各装置に制御信号を出力し、空気調和機１の運転制御を行う。
【００４６】
本実施形態のメイン制御部４５は、プロセッサおよびメモリなどのハードウェア資源を有し、ＣＰＵが各種プログラムを実行することで、ソフトウェアによる情報処理がハードウェア資源を用いて実現されるコンピュータで構成される。さらに、本実施形態の空気調和方法は、プログラムをコンピュータに実行させることで実現される。
【００４７】
次に、第１実施形態のメイン制御部４５が実行する全開放処理について図１５のフローチャートを用いて説明する。なお、フローチャートの各ステップの説明にて、例えば「ステップＳ１１」と記載する箇所を「Ｓ１１」と略記する。
【００４８】
図１５に示すように、まず、メイン制御部４５は、運転開始操作または温度設定変更操作があるか否か、つまり、ワイヤレスリモコン３５から運転開始操作または温度設定変更操作を示す赤外線信号Ｒを受信した否かを判定する（Ｓ１１）。ここで、運転開始操作または温度設定変更操作がない場合（Ｓ１１がＮＯ）は、処理を終了する。一方、運転開始操作または温度設定変更操作がある場合（Ｓ１１がＹＥＳ）は、Ｓ１２に進む。
【００４９】
Ｓ１２にてメイン制御部４５は、冷房モードの運転開始または冷房モードの運転中であるか否かを判定する。ここで、冷房モードでない場合（Ｓ１２がＮＯ）は、後述のＳ１４に進む。一方、冷房モードである場合（Ｓ１２がＹＥＳ）は、Ｓ１３に進む。
【００５０】
Ｓ１３にて熱交換器制御部４８は、熱交換器３７を制御して冷房モードの運転開始または冷房モードの目標温度の設定を行い、後述のＳ１６に進む。このとき、ファン駆動部３９を用いて軸流ファン３８を回転させることで、熱交換器３７を通過する空気の流れを生じさせる。室外ユニット制御部５０は、冷房モードまたは目標温度の設定に応じた室外ユニット３の制御を開始する。
【００５１】
前述のＳ１２がＮＯの場合に進むＳ１４において、メイン制御部４５は、暖房モードの運転開始または暖房モードの運転中であるか否かを判定する。ここで、暖房モードでない場合（Ｓ１４がＮＯ）は、後述のＳ１６に進む。一方、暖房モードである場合（Ｓ１４がＹＥＳ）は、Ｓ１５に進む。
【００５２】
Ｓ１５にて熱交換器制御部４８は、熱交換器３７を制御して暖房モードの運転開始または暖房モードの目標温度の設定を行い、後述のＳ１６に進む。このとき、ファン駆動部３９を用いて軸流ファン３８を回転させることで、熱交換器３７を通過する空気の流れを生じさせる。室外ユニット制御部５０は、暖房モードまたは目標温度の設定に応じた室外ユニット３の制御を開始する。
【００５３】
Ｓ１６にて蓋制御部４６は、第１〜４蓋駆動部１９，２０，２１，２２を制御することで、全ての吸込口１１，１２，１３，１４を開放する全開放モードの実行を開始する。次に、メイン制御部４５は、全開放タイマ５１を用いて、全開放モードの実行時間のカウントを開始する（Ｓ１７）。なお、全開放タイマ５１のカウント時間は、予め設定されている。なお、このカウント時間は、現在の室温と目標温度との差分に基づいて適宜変更されても良い。
【００５４】
次に、メイン制御部４５は、全開放タイマ５１によるカウントを継続するとともに、全開放モードを継続する（Ｓ１８）。次に、メイン制御部４５は、全開放タイマ５１のカウントが終了したか否か、つまり、全開放タイマのカウントが所定の時間（ゼロ）以下になったか否かを判定する。を判定する（Ｓ１９）。ここで、全開放タイマ５１のカウントが終了していない場合（Ｓ１９がＮＯ）は、前述のＳ１８に戻る。一方、全開放タイマ５１のカウントが終了した場合（Ｓ１９がＹＥＳ）は、Ｓ２０に進む。
【００５５】
Ｓ２０にて蓋制御部４６は、第１〜４蓋駆動部１９，２０，２１，２２を制御することで、一部の吸込口１１，１２，１３，１４を閉鎖する。例えば、冷房モードである場合は、第１吸込口１１の開放を維持し、他の吸込口１２，１３，１４を閉鎖する。一方、暖房モードである場合は、第２吸込口１２の開放を維持し、他の吸込口１１，１３，１４を閉鎖する。そして、処理を終了する。このようにすれば、室内空間Ｎの空気の温度に関わらず、全ての吸込口１１，１２，１３，１４を開放する全開放モードを終了させることができる。
【００５６】
次に、変形例の全開放処理について図１６のフローチャートを用いて説明する。なお、変形例の全開放処理は、Ｓ１７ＡおよびＳ１９Ａが、前述した全開放処理（図１５参照）と異なり、他のステップは同じである。
【００５７】
図１６に示すように、Ｓ１６にて全ての吸込口１１，１２，１３，１４を開放する全開放モードの実行を開始した後に、メイン制御部４５は、４つの温度センサ２７，２８，２９，３０のうち、開放された吸込口１１，１２，１３，１４に対応する温度センサ２７，２８，２９，３０を特定する（Ｓ１７Ａ）。次に、メイン制御部４５は、特定した温度センサ２７，２８，２９，３０を用いて、吸込口１１，１２，１３，１４から吸い込まれた空気の温度を検出する（Ｓ１８Ａ）。
【００５８】
次に、メイン制御部４５は、温度センサ２７，２８，２９，３０の検出温度と目標温度との差分が所定の閾値以下（例えば２℃以下）であるか否かを判定する（Ｓ１９Ａ）。ここで、検出温度と目標温度との差分が所定の閾値以下でない場合（Ｓ１９ＡがＮＯ）は、前述のＳ１８Ａに戻る。一方、検出温度と目標温度との差分が所定の閾値以下である場合（Ｓ１９ＡがＹＥＳ）は、Ｓ２０に進み、一部の吸込口１１，１２，１３，１４を閉鎖する。このようにすれば、室内空間Ｎの空気の温度が目標温度の近傍に到達した時点で、全ての吸込口１１，１２，１３，１４を開放する全開放モードを終了させることができる。
【００５９】
なお、この変形例では、温度センサ２７，２８，２９，３０の検出温度と目標温度との差分が所定の閾値以下である場合に、一部の吸込口１１，１２，１３，１４を閉鎖するようにしているが、温度センサ２７，２８，２９，３０の検出温度が目標温度に到達した場合に、一部の吸込口１１，１２，１３，１４を閉鎖しても良い。また、４つの温度センサ２７，２８，２９，３０の全てを温度検出の対象とし、これらの温度センサ２７，２８，２９，３０うちのいずれか１つに基づいて検出した温度が、目標温度に到達した場合、または目標温度との差分が所定の閾値以下となった場合に、一部の吸込口１１，１２，１３，１４を閉鎖しても良い。
【００６０】
次に、第１実施形態のメイン制御部４５が実行する蓋制御処理について図１７のフローチャートを用いて説明する。なお、この蓋制御処理は、前述の全開放処理の終了後に実行される。また、前述の全開放処理のＳ２０を蓋制御処理としても良い。
【００６１】
図１７に示すように、メイン制御部４５は、冷房モードの運転中であるか否かを判定する（Ｓ２１）。ここで、冷房モードの運転中でない場合（Ｓ２１がＮＯ）は、後述のＳ２３に進む。一方、冷房モードの運転中である場合（Ｓ２１がＹＥＳ）は、Ｓ２２に進む。
【００６２】
Ｓ２２にて蓋制御部４６は、第１蓋駆動部１９を制御することで第１吸込口１１を開放するとともに、第２蓋駆動部２０を制御することで第２吸込口１２を閉鎖し、後述のＳ２５に進む。ここで、筐体４の上面７（第１側面）の第１吸込口１１から空気Ｆが吸い込まれるようになる。この第１吸込口１１が設けられる側面とは異なる面である正面５の吹出口３１から空気Ｆが吹き出すようになる。
【００６３】
前述のＳ２１がＮＯの場合に進むＳ２３において、メイン制御部４５は、暖房モードの運転中であるか否かを判定する（Ｓ２３）。ここで、暖房モードの運転中でない場合（Ｓ２３がＮＯ）は、後述のＳ２５に進む。一方、暖房モードの運転中である場合（Ｓ２３がＹＥＳ）は、Ｓ２４に進む。
【００６４】
Ｓ２４にて蓋制御部４６は、第２蓋駆動部２０を制御することで第２吸込口１２を開放するとともに、第１蓋駆動部１９を制御することで第１吸込口１１を閉鎖し、後述のＳ２５に進む。ここで、筐体４の下面８（第２側面）の第２吸込口１２から空気Ｆが吸い込まれるようになる。この第２吸込口１２が設けられる側面とは異なる面である正面５の吹出口３１から空気Ｆが吹き出すようになる。
【００６５】
Ｓ２５にてメイン制御部４５は、人感センサ３４の検出信号に基づいて室内空間Ｎの左側に人Ｍが居るか否かを判定する。ここで、室内空間Ｎの左側に人Ｍが居ない場合（Ｓ２５がＮＯ）は、後述のＳ２７に進む。一方、室内空間Ｎの左側に人Ｍが居る場合（Ｓ２５がＹＥＳ）は、Ｓ２６に進む。
【００６６】
Ｓ２６にて蓋制御部４６は、第３蓋駆動部２１を制御することで第３吸込口１３を開放するとともに、第４蓋駆動部２２を制御することで第４吸込口１４を閉鎖し、処理を終了する。ここで、筐体４の左面９（第３側面）の第３吸込口１３から空気Ｆが吸い込まれるようになる。この第３吸込口１３が設けられる側面とは異なる面である正面５の吹出口３１から空気Ｆが吹き出すようになる。
【００６７】
前述のＳ２５がＮＯの場合に進むＳ２７において、メイン制御部４５は、人感センサ３４の検出信号に基づいて室内空間Ｎの右側に人Ｍが居るか否かを判定する。ここで、室内空間Ｎの右側に人Ｍが居ない場合（Ｓ２７がＮＯ）は、後述のＳ２９に進む。一方、室内空間Ｎの右側に人Ｍが居る場合（Ｓ２７がＹＥＳ）は、Ｓ２８に進む。
【００６８】
Ｓ２８にて蓋制御部４６は、第４蓋駆動部２２を制御することで第４吸込口１４を開放するとともに、第３蓋駆動部２１を制御することで第３吸込口１３を閉鎖し、処理を終了する。ここで、筐体４の右面１０（第４側面）の第４吸込口１４から空気Ｆが吸い込まれるようになる。この第４吸込口１４が設けられる側面とは異なる面である正面５の吹出口３１から空気Ｆが吹き出すようになる。
【００６９】
前述のＳ２７がＮＯの場合に進むＳ２９において、蓋制御部４６は、第３蓋駆動部２１を制御することで第３吸込口１３を閉鎖するとともに、第４蓋駆動部２２を制御することで第４吸込口１４を閉鎖し、処理を終了する。
【００７０】
（第２実施形態）
次に、第２実施形態の空気調和機１Ａについて図１８から図２０を用いて説明する。なお、前述した実施形態に示される構成部分と同一構成部分については同一符号を付して重複する説明を省略する。図１８および図１９は、第２実施形態の室内ユニットを正面側から見た状態を示す斜視図である。以下、図２０の紙面左側を空気調和機の正面側（前方側）として説明する。
【００７１】
図１９および図２０に示すように、第２実施形態の室内ユニット２Ａは、熱交換器３７の前方側（風下側）に設けられる遠心ファン５２と、この遠心ファン５２を回転させるファン駆動部５３（モータ）とを備える。この第２実施形態では、遠心ファン５２とファン駆動部５３とで、熱交換器を通過する空気の流れを生じさせる送風部が構成される。
【００７２】
遠心ファン５２は、円筒状に配置された複数枚のランナー５４を有し、その軸を中心として回転することで、軸方向から吸い込んだ空気Ｆを、遠心方向（径方向）に流すことができる。つまり、遠心方向の空気Ｆの流れを生じさせることができる。この遠心ファン５２の周囲には、遠心方向に流れ出た空気Ｆを、前方側に向けて案内する案内部５５が設けられる。
【００７３】
図１８に示すように、第２実施形態の筐体４Ａの正面５には、４つの吹出口５６が開口されている。それぞれの吹出口５６が長方形状を成す。これらの吹出口５６は、正面視で正方形の配置となるように並べられている。また、遠心ファン５２を回転されることによって、４つの吹出口５６から空気が吹き出すことで、直線状（角柱状）の空気の流れを生じさせることができる。
【００７４】
また、それぞれの吹出口５６に対応して風向板５７が設けられる。これらの風向板５７は、それぞれ独立して角度が調整される。これらの風向板５７の調整により空気の吹き出し方向を上下左右のいずれの方向にも変更することができる。
【００７５】
遠心ファン５２または前述の軸流ファン３８を適宜選択することで、室内空間Ｎの状況に応じて最適な条件で空気調和機１Ａを使用することができる。
【００７６】
本実施形態に係る空気調和機を第１実施形態から第２実施形態に基づいて説明したが、いずれか１の実施形態において適用された構成を他の実施形態に適用しても良いし、各実施形態において適用された構成を組み合わせても良い。
【００７７】
なお、本実施形態の所定の値と判定値（閾値）との判定は、「判定値以上か否か」の判定でも良いし、「判定値を超えているか否か」の判定でも良いし、「判定値以下か否か」の判定でも良いし、「判定値未満か否か」の判定でも良い。
【００７８】
なお、本実施形態のフローチャートにおいて、各ステップが直列に実行される形態を例示しているが、必ずしも各ステップの前後関係が固定されるものでなく、一部のステップの前後関係が入れ替わっても良い。また、一部のステップが他のステップと並列に実行されても良い。
【００７９】
なお、本実施形態では、４つの吸込口１１，１２，１３，１４が筐体４に設けられているが、少なくとも第１吸込口１１と第２吸込口１２の２つの吸込口１１，１２が筐体４に設けられていれば良い。また、第３吸込口１３と第４吸込口１４の２つの吸込口１３，１４のみを設けても良い。
【００８０】
なお、本実施形態では、蓋１５，１６，１７，１８が揺動されることで、吸込口１１，１２，１３，１４を開閉しているが、蓋１５，１６，１７，１８がスライド移動されることで、吸込口１１，１２，１３，１４を開閉するものであっても良い。
【００８１】
なお、本実施形態では、ワイヤレスリモコン３５を用いて空気調和機１を遠隔操作しているが、壁面Ｋにワイヤードリモコンを設けるようにし、このワイヤードリモコンを用いて空気調和機１を遠隔操作しても良い。
【００８２】
なお、本実施形態では、４つの吸込口１１，１２，１３，１４に対応して、４つの温度センサ２７，２８，２９，３０が設けられているが、熱交換器３７の風上側に１つの温度センサを設けるようにしても良い。
【００８３】
なお、本実施形態では、冷房運転時に第１吸込口１１のみを開放して、暖房運転時に第２吸込口１２のみを開放するようにしているが、冷房運転時に第２吸込口１２のみを開放して、暖房運転時に第１吸込口１１のみを開放するようにしても良い。
【００８４】
なお、第３吸込口１３および第４吸込口１４のいずれか一方を開放する態様のみならず、第３吸込口１３および第４吸込口１４の両方を開放しても良い。このようにすれば、室内空間Ｎの左右方向に広がる空気の流れを生じさせることができる。
【００８５】
以上説明した実施形態によれば、筐体の第１側面に開口されて空気を吸い込む第１吸込口と、筐体における第１側面の反対側の第２側面に開口されて空気を吸い込む第２吸込口と、を備えることにより、室内空間の空気の温度分布を均一化させることができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００８７】
１（１Ａ）…空気調和機、２（２Ａ）…室内ユニット、３…室外ユニット、４（４Ａ）…筐体、５…正面、６…背面、７…上面、８…下面、９…左面、１０…右面、１１…第１吸込口、１２…第２吸込口、１３…第３吸込口、１４…第４吸込口、１５…第１蓋、１６…第２蓋、１７…第３蓋、１８…第４蓋、１９…第１蓋駆動部、２０…第２蓋駆動部、２１…第３蓋駆動部、２２…第４蓋駆動部、２３…第１エアフィルタ、２４…第２エアフィルタ、２５…第３エアフィルタ、２６…第４エアフィルタ、２７…第１温度センサ、２８…第２温度センサ、２９…第３温度センサ、３０…第４温度センサ、３１…吹出口、３２…風向板、３３…風向板駆動部、３４…人感センサ、３５…ワイヤレスリモコン、３６…受信部、３７…熱交換器、３８…軸流ファン、３９…ファン駆動部、４０…ドレンパン、４１…案内部、４２…接続パイプ、４３…配管、４４…フィン、４５…メイン制御部、４６…蓋制御部、４７…風向板制御部、４８…熱交換器制御部、４９…ファン制御部、５０…室外ユニット制御部、５１…全開放タイマ、５２…遠心ファン、５３…ファン駆動部、５４…ランナー、５５…案内部、５６…吹出口、５７…風向板、Ｆ…空気、Ｋ…壁面、Ｍ…人（使用者）、Ｎ…室内空間、Ｒ…赤外線信号、Ｔ…天井、Ｕ…床面、Ｗ…方向。
【図１】
2018138839.tif 000003
【図２】
2018138839.tif 000004
【図３】
2018138839.tif 000005
【図４】
2018138839.tif 000006
【図５】
2018138839.tif 000007
【図６】
2018138839.tif 000008
【図７】
2018138839.tif 000009
【図８】
2018138839.tif 000010
【図９】
2018138839.tif 000011
【図１０】
2018138839.tif 000012
【図１１】
2018138839.tif 000013
【図１２】
2018138839.tif 000014
【図１３】
2018138839.tif 000015
【図１４】
2018138839.tif 000016
【図１５】
2018138839.tif 000017
【図１６】
2018138839.tif 000018
【図１７】
2018138839.tif 000019
【図１８】
2018138839.tif 000020
【図１９】
2018138839.tif 000021
【図２０】
2018138839.tif 000022